(57)【要約】【課題】一定の効果が期待できる抽選を含めた販売方法を見直し、再検討することにより、雨降り時においても集客力が低下しない、或いは集客力の向上が図れる雨天時の販売方法を提供する。【解決手段】雨の日において、商品を購入すべくその対価を支払うと、その購入者に籤付きの飴１が支給されるとともに、籤２には、販売元から購入者へのプレゼントの目録３が示されている。支払い額に対するキャッシュバック（プレゼント）利率の複数を互いに異なるように設定し、かつ、それら複数の利率毎に色を互いに異なるように対応させた対応表を表示するとともに、目録には、複数の色のうちの一つの色が示されている。【選択図】          図１
2004362194.tif 000002
【特許請求の範囲】
【請求項１】
雨天時において、商品を購入すべくその対価を支払うと、その購入者に籤付きの飴が支給されるとともに、前記籤には、販売元から購入者へのプレゼントの目録が示されている雨天時の販売方法。
【請求項２】
前記目録は、支払い額に対するキャッシュバックの利率を表示する手段である請求項１に記載の雨天時の販売方法。
【請求項３】
前記利率は、予め設定された互いに異なる複数の利率のうちのいずれか１つである請求項２に記載の雨天時の販売方法。
【請求項４】
支払い額に対するキャッシュバック利率の複数を互いに異なるように設定し、かつ、それら複数の利率毎に色、絵柄、記号、等の識別表示手段を互いに異なるように対応させた対応表を表示するとともに、前記目録には、複数の前記識別表示手段のうちの一つが示されている請求項１に記載の雨天時の販売方法。
【請求項５】
指定された商品区分、又は指定された時間帯においては、前記利率が上乗せされる請求項２〜４のいずれか一項に記載の雨天時の販売方法。
【請求項６】
前記購入者は購入日の後日に、前記販売元が開設しているホームページにアクセスして、前記購入者の登録情報と支払い情報と前記目録とを入力することにより、前記販売元において抽選が行われて前記プレゼントが確定する請求項１に記載の雨天時の販売方法。
【発明の詳細な説明】
【０００１】
【発明の属する技術分野】
本発明は、雨天時の販売方法に係り、詳しくは、雨の日でも集客率を落とさずに営業することが可能な販売方法に関するものである。
【０００２】
【従来の技術】
従来より、ホームセンター、スーパーマーケット、或いはコンビニエンスストア等の小売業においては、売上業績を伸ばす為に種々の売出し企画を行い、集客力の向上を図っている。一般に多用される売出し企画は、大量仕入商品や大量在庫商品を低価格で販売することによって集客を狙うものであったが、これは常に実現できる企画ではないので、恒常的に集客力の増強が可能な販売方法を考え、売上業績向上を図る必要があった。
【０００３】
そこで、買い上げに対して抽選券を付与して、抽選で当選した場合に景品を提供するという販売方法も提案されており、そのような例としては、特許文献１において開示されたものが知られている。また、例えば、買い上げの精算時にレシートに抽選番号を印刷するシステムを採る等、宣伝情報を表示する画面に当選番号を掲示することにより宣伝効果の増大を目的として、買い上げ金額を抽選番号として使用する販売システムが、特許文献２において開示されている。
【０００４】
【特許文献１】
特開平５−２５０５６８号公報
【特許文献２】
特開２０００−１３２７４４号公報
【０００５】
【発明が解決しようとする課題】
これらの販売方法は、抽選には一種のゲーム性やギャンブル的な要素があって、商品の購入にプラスアルファされることにより、集客力や売上の向上にある程度の効果は期待できる。しかしながら、この抽選を付加する方法も、常用するとなれば高価な景品をサービスするには無理があるとともに、マンネリ化によって魅力も次第に無くなって行く。
【０００６】
このような恒常的な集客力の向上とは別に、小売業界においては、雨天時の集客力の低下を如何にして軽減又は回避するかが課題となっている。特に、昨今のデフレ不況による消費控えにより、売上が低下している状況において雨天によるさらなる売上減の上積みは、企業の存続に重大な影響を及ぼすため、雨降りの日は一番の厄日とされており、早急に雨天時の対策が必要とされている。
【０００７】
本発明の目的は、一定の効果が期待できる抽選を含めた販売方法を見直し、再検討することにより、雨降り時においても集客力が低下しない、或いは集客力の向上が図れる雨天時の販売方法を提供する点にある。
【０００８】
【課題を解決するための手段】
請求項１の方法は、雨天時の販売方法として、雨天時において、商品を購入すべくその対価を支払うと、その購入者に籤付きの飴が支給されるとともに、籤には、販売元から購入者へのプレゼントの目録が示されていることを特徴とする。
【０００９】
請求項２の方法は、請求項１の方法において、目録は、支払い額に対するキャッシュバックの利率を表示する手段であることを特徴とする。
【００１０】
請求項３の方法は、請求項２の方法において、利率は、予め設定された互いに異なる複数の利率のうちのいずれか一つであることを特徴とする。
【００１１】
請求項４の方法は、請求項１の方法において、支払い額に対するキャッシュバック利率の複数を互いに異なるように設定し、かつ、それら複数の利率毎に色、絵柄、記号、等の識別表示手段を互いに異なるように対応させた対応表を表示するとともに、目録には、複数の識別表示手段のうちの一つが示されていることを特徴とする。
【００１２】
請求項５の方法は、請求項２〜４のいずれかの方法において、指定された商品区分、又は指定された時間帯においては、利率が上乗せされることを特徴とする。
【００１３】
請求項６の方法は、請求項１の方法において、購入者は購入日の後日に、販売元が開設しているホームページにアクセスして、購入者の登録情報とと支払い情報目録とを入力することにより、販売元において抽選が行われてプレゼントが確定することを特徴とする。
【００１４】
【発明の実施の形態】
−第１実施形態−
第１実施形態による雨天時の販売方法は、雨天時において、商品を購入すべくその対価を支払うと、その購入者に籤付きの飴が支給されるとともに、籤には、販売元から購入者へのプレゼントの目録が示されているというものである。
【００１５】
即ち、雨の日限定で、「雨も楽しい飴くじでキャッシュバックの大当たり」と題したキャンペーン（売出しサービス）を行うものであり、その「雨も楽しい飴くじでキャッシュバックの大当たり」という謳い文句を印刷したチラシやパンフレットを、新聞に組み込んで各家庭に配布したり、街頭で配ったりして前もって宣伝する。この謳い文句は、「雨」と「飴」とをかけた、いわゆる言葉の「駄洒落」を用いたものであり、これを見た又は聞いた消費者（購入者）は、強いインパクトを受けて、印象に残り易いメッセージとなる利点がある。
【００１６】
具体的には、雨天の日に来店して頂いた買い物客のうち、実際に商品を持ってレジにおいて支払いを行った購入者には、精算が済むとレジ係（販売元の一例）レシートと共に、図１に示すような飴１が支給される。その場で飴の包みを広げると、飴本体４を囲繞する包み２の裏面に、所定の色が塗られた着色部３が形成されている。
【００１７】
着色部の色は、例えば、黒、青、黄、赤、金の全部で５色のうちの一つの色が塗られており、その色とキャッシュバック利率とを対応させた対応表が、図３に示すように作成されて、店内の入口付近、レジ付近等の適所に貼っておいたり、前もって配られたチラシやパンフレットに記載しておく。この例では、着色部３の色が黒のときはキャッシュバック利率が０％、即ち、「はずれ」であり、青色ではキャッシュバック利率が５％、同様に黄色では１０％、赤色では２０％、そして、金色では１００％に設定されている。
【００１８】
つまり、この第１実施形態による販売方法は、支払い額に対するキャッシュバック利率の複数を互いに異なるように設定し、かつ、それら複数の利率毎に色の識別表示手段（後述）３を互いに異なるように対応させた対応表（図３参照）を表示するとともに、目録には、複数の識別表示手段３のうちの一つが示されていることを特徴としている。
【００１９】
従って、支給された飴１を開いて、包み２の裏側の識別表示手段である着色部３の色が「赤」であると、キャッシュバック利率が２０％であるから、例えば、支払い金額が１００，００円のときには、即座に２，０００円が戻って来るシステムである。もし、着色部３の色が「金」ならば、１００％のキャッシュバック、つまり「ただ」になるというサービスである。つまり、包み２の裏面が籤における目録の一例であり、着色部３が目録の一例であり、キャッシュバックされる現金がプレゼントの一例である。
【００２０】
このように、雨天の日にだけの特別なサービス（特典）が享受できる販売方法を採れば、特別に購入を急がないような場合には、天気の良い日よりは、むしろ雨天を待って来店しようとする意思（感情）が購入者に働き、雨天の集客力の落ち込みが改善されるとともに、場合によっては雨天の方が来店者数が増えたり、それによって売上げが増えたりすることが可能となるのである。
【００２１】
−第２実施形態−
第２実施形態による雨天時の販売方法は、雨天時において、商品を購入すべくその対価を支払うと、その購入者に籤付きの飴が支給されるとともに、籤には、販売元から購入者へのプレゼントの目録が示されている点では、第１実施形態の場合と同じである。違いは、目録は、支払い額に対するキャッシュバックの利率を表示する手段である点である。
【００２２】
即ち、図３に示すように、飴本体４を取り出すべく飴１の包み２を開くと、目録としての紙片３が入っており、その紙片３にキャッシュバック利率の数字（単位はパーセント）が示されているのである。図３の例では、１０％と記されているので、例えば支払い額が２，５００円である場合には、２５０円がその場で戻ってくるようになっている。
【００２３】
−第３実施形態−
第３実施形態による雨天時の販売方法は、雨天時において、商品を購入すべくその対価を支払うと、その購入者に籤付きの飴が支給されるとともに、前記籤には、販売元から購入者へのプレゼントの目録が示されている点では、第１及び第２実施形態の場合と同じである。
【００２４】
違いは、購入者は購入日の後日に、販売元が開設しているホームページにアクセスして、購入者の登録情報と支払い情報と目録とを入力することにより、販売元において抽選が行われてプレゼントが確定するというシステムであるとともに、目録とキャッシュバック利率との対応が明らかにされていないことである。但し、最大５０％で最小５％であるとか、５種類の色がある、といった具合に、キャッシュバック利率の範囲や数は予め表示しておくのが良い。
【００２５】
即ち、購入者は、支払い時にレジにてレシートに加えて籤付きの飴が手渡されるようになっており、翌日以降の天気回復日等の後日において、購入者のパソコン５等からインターネット６を用いて、販売元のパソコン７及びサーバ８によるホームページにアクセスし、会員証や登録番号等の購入項者の販売元に対する登録情報、レシートに記載されている購入日及び時間、支払い金額等の支払い情報、並びに、着色部３の色（例えば青）或いは絵柄、記号等の識別表示手段を所定の入力箇所に入力するのである。
【００２６】
上記のように、必要事項の入力が済むと、ホームページ上において公開抽選が行われ、アクセスした購入者のキャッシュバック利率が確定し、その情報をプリントアウトしたものや、利率の確定情報を暗記又は紙に記す等して、次回に来店の際に受付に渡し、又は連絡し、所定の金額を受け取るのである。
【００２７】
このように、インターネットを用いて後日に抽選を行うようにすれば、販売元の人件費の削減が可能になるとともに、購入者には後日に再来店することの動機が発生するので、雨天の集客力だけでなく、後日における集客力も向上可能となる利点がある。
【００２８】
〔別実施形態〕
〈１〉  飴１の籤としての目録は、図３の対応表に示すように、山や松等の絵柄が描かれていたり、泣き顔や驚きマーク等の記号が記しておくものでも良い。絵柄とキャッシュバック利率との関係例は、山の絵では０％、川の絵では５％、松の絵では１０％、竹の絵では２０％、梅の絵では１００％になっている。また、記号とキャッシュバック利率との関係例は、泣き顔では０％、注意記号※では５％、驚きマーク１つでは１０％、音符マークでは２０％、そして驚きマーク３つでは１００％といった具合である。
【００２９】
〈２〉  第１〜第３実施形態による雨天時の販売方法において、指定された商品区分、又は指定された時間帯においては、キャッシュバック利率が上乗せされるようにしても良い。例えば、飴１の着色部３に、その日の指定商品を表す表示手段（品名又はポンチ絵等）を付記しておき、購入商品がその指定区分の商品に合致していれば、もう５％のキャッシュバック利率が追加される、といった具合である。
【００３０】
また、指定区分ではなく、例えば「４〜５時」といった時間帯指定が、飴１の包み２の裏面や紙片３（図３参照）に記入されており、その指定時間範囲内に丁度購入された場合（即ち、レジにて飴１の包み２を広げた時）には、キャッシュバック利率が１０％上乗せされる、という具合である。これらの特典は、インターネット等を用いた後日抽選方法においても、勿論、同様に行うことが可能である。
【００３１】
〈３〉  プレゼントは、キャッシュバック以外に、実用品や贈答品等の景品や、ポイント（所定以上集めると景品等に変換できる）数でも良い。また、購入価格に見合った金額の商品購入券が頂ける、という方法でも良い。
【００３２】
【発明の効果】
以上説明したように、請求項１による雨天時の販売方法では、雨天時において、商品を購入すべくその対価を支払うと、その購入者に籤付きの飴が支給されるとともに、前記籤には、販売元から購入者へのプレゼントの目録が示されていることを特徴とするものであり、「雨」と「飴」とをの語呂合わせ（駄洒落）によるキャッチフレーズ（宣伝文句）が、顧客に軽快でインパクトのある印象を形成可能になるとともに、籤による抽選の楽しみが、雨の日だけの特典として顧客を誘引し、雨天時の集客力を大幅に向上することができるのである。
【００３３】
請求項２のように、キャッシュバックの利率が示されるものであれば、実質的に商品が安くなる魅力が得られるとともに、請求項３のように、複数のキャッシュバックの利率のうちの一つが示されるようになれば、それに加えてゲーム性、或いはギャンブル性が生じて、一層楽しみが増して集客力の向上を促進できる利点がある。また、請求項４のように、籤が示す色等の識別表示手段とキャッシュバック利率との対応表を掲示するようにすれば、購入者の籤に対する期待感を煽る効果が生じて、楽しみが増して集客力向上に寄与できるようになる。
【００３４】
請求項５のように、指定商品や指定時間帯等の別の要素を加えることで、籤によるゲーム性が増強されるとともに、請求項６のように、インターネットを用いる等して後日抽選の方法を採れば、販売元も購入者も簡単操作でありながら、宝くじのように、期待感を数日間に亘って享受することができ、しかも、購入者の再来店の確率が大きく向上することができる利点もある。
【図面の簡単な説明】
【図１】図１は、第１実施形態による籤付き飴の一例を示す斜視図と展開図である。
【図２】図２は、籤の目録とキャッシュバック利率との関係を示す対応表である。
【図３】図３は、第２実施形態による籤付き飴の一例を示す斜視図と展開図である。
【図４】図４は、インターネットを用いた後日抽選システムを示す系統図である。
【符号の説明】
１  飴
２  包み
３  目録、籤、識別表示手段
４  飴本体
５  購入者のパソコン
６  インターネット
７  販売元のパソコン
８  サーバ
【図１】
2004362194.tif 000003
【図２】
2004362194.tif 000004
【図３】
2004362194.tif 000005
【図４】
2004362194.tif 000006